(57)【要約】【課題】急な発熱時に使用する氷枕の温度情報とともにモニタできる乳幼児健康装置の提供。【解決手段】  本発明の乳幼児健康管理装置は、電源電池を備え、所定時分ごとに温度を測定・記憶する第１の測温部と、温度測定部を有するＩＣタグを備え、測定者の適所で測定可能な第２の測温部と、測定された体温情報を読取るＩＣタグ読み取り部と、入力部と、表示部と、体温測定部による測定値を記憶する記憶部と、記憶部により記憶されている各種生体情報をトレンド表示するとともに、第１の測定部で予め測定された所定時間の体温のトレンド記憶しておき、第２の測温部で測定し、トレンド記憶した体温データと比較表示するようにし、その外表面に温度測定部を有するＩＣタグを備え、内部に氷及び／または水，冷却剤を収納し、頭部を冷却する氷枕の温度情報も選択的にモニタ可能にしたことを特徴とする。【選択図】  図１
2007229075.tif 000002
【特許請求の範囲】
【請求項１】
乳幼児健康管理装置であって、
電源電池を備え、所定時分ごとに温度を測定・記憶する第１の測温部と、温度測定部を有するＩＣタグを備え、測定者の適所で測定可能な第２の測温部と、測定された体温情報を読取るＩＣタグ読み取り部と、入力部と、表示部と、前記体温測定部による測定値を記憶する記憶部とを備え、前記記憶部により記憶されている各種生体情報をトレンド表示するとともに、前記第１の測定部で予め測定された所定時間の体温のトレンド記憶しておき、前記第２の測温部で測定し、トレンド記憶した体温データと比較表示するようにし、その外表面に温度測定部を有するＩＣタグを備え、内部に氷及び／または水，冷却剤を収納し、頭部を冷却する氷枕の温度情報も選択的にモニタ可能にしたことを特徴とする乳幼児健康管理装置。
【請求項２】
所定の閾値以上の体温変化または所定の閾値以上／以下の体温が検出されるとアラームを発生することを特徴とする請求項１記載の乳幼児健康管理装置。
【請求項３】
氷枕の温度が、所定の閾値以上が検出されるとアラームを発生することを特徴とする請求項１記載の乳幼児健康管理装置。
【請求項４】
脈拍，血中酸素飽和度（ＳＰ０２）等を入力可能で、所定の範囲の値を外れるとアラームを発生することを特徴とする請求項１記載の乳幼児健康管理装置。
【請求項５】
身長，体重等の生体情報，予防接種情報，投薬情報等も入力可能としたことを特徴とする請求項１記載の乳幼児健康管理装置。
【発明の詳細な説明】
【技術分野】
【０００１】
本発明は、乳幼児健康管理装置に関し、特に、所定時間の体温トレンドを記憶しておき、モニタする時は、測定部と本体部が分離され、体温データが無線で氷枕の温度情報と併せて所定間隔で乳幼児の体温情報も送信される乳幼児健康管理装置に関する。
【背景技術】
【０００２】
生体情報を計測し、乳幼児の状態を推定し、乳幼児の異変に対して適切な対応がとれるようにする監視システムが提案されている（特許文献１：特開２００４−１８１２１８号公報）。しかしながら、風邪，インフルエンザ，ＲＳ（Respiratory Syncytial）ウイルス等の感染症等によるに急な体温変化が健常時とどのように異なるか判断するようなものではない。これを改善するシステムとして、生体信号の緊急度を判断し、アラームを発生させるシステムが提案されている（特許文献３:特許３６６１６８６号公報）。しかしながら。体温については大きな閾値４０℃、３４℃を設定し、それと比較するだけであり、トレンド変化によりアラームを発生させるものではない。
【特許文献１】特開２００４−１８１２１８号公報
【特許文献２】特許３６６１６８６号公報
【発明の開示】
【発明が解決しようとする課題】
【０００３】
本発明の目的は、上記問題点に鑑みてなされたもので、体重等のトレンド情報、予防接種等の情報とともに、風邪，インフルエンザ，ＲＳ（Respiratory Syncytial）ウイルス等の等の感染症等による所定時間での体温変化が健常時とどのように異なるかどうかを容易に比較でき、急な発熱時に使用する氷枕の温度情報とともにモニタできる乳幼児健康装置を提供することにある。
【課題を解決するための手段】
【０００４】
上記課題を解決するために、本発明の乳幼児健康管理装置は、電源電池を備え、所定時分ごとに温度を測定・記憶する第１の測温部と、温度測定部を有するＩＣタグを備え、測定者の適所で測定可能な第２の測温部と、測定された体温情報を読取るＩＣタグ読み取り部と、入力部と、表示部と、体温測定部による測定値を記憶する記憶部とを備え、記憶部により記憶されている各種生体情報をトレンド表示するとともに、第１の測定部で予め測定された所定時間の体温のトレンド記憶しておき、第２の測温部で測定し、トレンド記憶した体温データと比較表示するようにし、その外表面に温度測定部を有するＩＣタグを備え、内部に氷及び／または水，冷却剤を収納し、頭部を冷却する氷枕の温度情報も選択的にモニタ可能にしたことを特徴とする。また、所定の閾値以上の体温変化または所定の閾値以上／以下の体温が検出されるとアラームを発生することを特徴とする。また、氷枕の温度が、所定の閾値以上が検出されるとアラームを発生することを特徴とする。また、脈拍，血中酸素飽和度（ＳＰ０２）等を入力可能で、所定の範囲の値を外れるとアラームを発生することを特徴とする。また、身長，体重等の生体情報，予防接種情報，投薬情報等も入力可能としたことを特徴とする。
【発明の効果】
【０００５】
本発明によれば、風邪，インフルエンザＲＳ（Respiratory Syncytial）ウイルス，はしか等の等の感染症等による急な発熱時のみならず、健常時の体温と比較できるので、母親に負担感が少ない乳幼児健康管理装置が得られる。急な発熱時の夜間の看病において、氷枕の交換時期が報知されるので、負担が軽減される。適切な処方薬（解熱剤，座薬，抗インフルエンザ剤等）の投薬のタイミングも容易に確認・把握できる。また、はしか（麻疹）に感染した場合にも、体温トレンドと感染症状（＝３８℃前後の熱から、せき、くしゃみ、鼻水などの風邪症状や、口の中やのどが赤くなる、目やにや充血といった症状も加わり徐々に悪化。3〜4日後にはいったん熱は下がり、すぐに上昇。この頃、口の中のほおの内側に小さな白いブツブツが数個〜数十個見られる。これをコブリック斑といい、はしか特有の症状で診断の重要な手がかりとなる。）から解熱剤の投与，氷枕等の使用による不要な解熱を行なわず、適切な処置ができる。
【発明を実施するための最良の形態】
【０００６】
図１は、本発明の一実施例を示し、乳幼児Ｐ及び携帯端末による乳幼児健康管理装置のシステムを示している。病院等でも同様の携帯端末または据置型の端末を用いて乳幼児健康管理装置が適用できる。図２は、温度測定部を有するＩＣタグ（ＲＦＩＤ）及び温度測定部を有する電池内蔵ＩＣタグのブロック図である。本願発明は、実施例に限られるものでなく適宜変更が可能である。また、携帯端末５0から専用ＬＡＮ，電話回線，インターネット等の情報通信ネットワーク（不図示）を介して、病院，主治医等のサイトと双方向の情報通信可能としてもよい。
【０００７】
＜システムの具体的構成＞
被検者である乳幼児Ｐは、ベッド上にオムツ（パンツ）３００をはいて横臥，仰臥等の状態でいる。乳幼児Ｐに対して、温度測定部を有するＩＣタグ１００を含む第２の測温部、電池内蔵ＩＣタグ２００を含む第２の測温部を身体の適所、外耳道内に挿入したり、面ファスナー等を備える囲包部材で囲包し、オムツに着脱自在に装着したり、リストバンドに設けたりして乳幼児Ｐの体温測定を行なう。オムツ３００は、伸縮部材を備えた胴開口部３０１、伸縮部材を備えた脚開口部３０２、吸収部材（不図示）からなり、温度測定部を有するＩＣタグ１００を備えた第２の測温部を、その内側の吸収部材から離れた位置の適所に備える。オムツ３００は、パンツ状に限らず、他の形状でもよい。また、オムツ３００を布製にし、リユース可能にしてオムツカバーを用い、尿などで濡れない内側の適所に設けてもよい。
【０００８】
携帯端末５０には、表示部１１、ブザー等の報知手段１９、無線によるＩＣタグ読取り部１３、入力部１４、記憶部１５、処理フロー等を記憶し、コンピュータで読取り可能なプログラムを記憶しているＲＡＭ１６，ＲＯＭ１７，ｉ−モードによるインターネット等の情報通信ネットワーク（不図示）を介して通信を行なう外部通信部１２を備えている。また、予防接種（インフルエンザ，おたふくかぜ，ポリオ，百日咳，風疹，麻疹，結核等の予防接種）の情報，過去の投薬の情報等も、機能キー１４ａ、入力部１４で入力し、記憶、表示できるようになっている。また、機能キー１４ａで入力項目を適宜選択して、体温，体重，血圧，脈拍等を入力し、記憶、表示できるようになっている。また、パルスオキシメータを接続端子１２ａに接続し、測定された血中酸素飽和度（ＳＰＯ２），脈拍を記憶、表示したり、測定中の測定中のリアルタイムの値を表示できるようになっている。パルスオキシメータで別途測定された血中酸素飽和度（ＳＰＯ２），脈拍を入力部１４で入力し、記憶部１５に記憶させてもよい。なお、病院等で使用する温度測定部を有するＩＣタグ１００は、同時に体温情報の読取り可能になる、アンチコリージョン型のＩＣタグを用いることが好ましい。
【０００９】
病院などにおいては、管理サイト／医療サイトを設け、サーバー（データ処理装置）を設置し、乳幼児ＰのＩＤと関連付けして、脈拍，呼吸，血圧，体温，血中酸素飽和度等の生体情報のリアルタイムの測定データの収集、集計、データ分析等を行うようにしてもよい。こうすることで、感染症等による急激な体温の上昇、うつ伏せ寝，嘔吐等による窒息等での呼吸停止等に対しても異常をいち早く把握できる。また、担当医の机上にも管理パソコン等を設置し、担当医が随時、乳幼児Ｐの身体状態を把握、監視するとともに、緊急時の乳幼児の異常通報を受けたり、電話器により適宜看護婦の待機部屋に指示を出したり、ハンディ・ナースコールで連絡したりすることができるようにしてもよい。また、時計部（不図示）は電波受信により時刻補正ができる、電波時計機能を設けておくと時刻調整の必要がなくなり都合がよい。
【００１０】
＜ＩＣタグの構成＞
図２において、１００は、外部からの通信信号を受けて作動するように構成された温度センサ付ＩＣタグ（ＲＦＩＤ）（第２の測温部）である。１０１は、ＩＣタグ読み取り部３４からの信号を受け、ロジック部１１０を所定のフローで動作させるプログラムが記憶され、コンピュータで読取り可能な記憶媒体であるＲＡＭである。１０２はＥＥＰＲＯＭで、温度センサ１０６のそれぞれに対応するオフセット値，温度補正値などが記憶されている。また、体温情報も記憶可能である。なお、ロジック部１１０は、より複雑な処理フローの制御が可能なＣＰＵとしてもよい。
【００１１】
温度センサ１０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。１０３は、乳幼児Ｐに設けられた温度測定部を有するＩＣタグ（ＲＦＩＤ）１００の体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ１００の各部に電源を供給する。１０７はＡ／Ｄ変換部であり、温度センサ１０６と発振回路（不図示）で発生した体温信号をＡ／Ｄ変換するものである。ＩＣタグ１００は、アンテナ１０３ａを含めて幅Ｗが５ｍｍ×５ｍｍ、厚さＴが１．５ｍｍ程度の大きさである。なお、ＩＣタグ１００は、生体を通過可能な周波数の電磁波での通信（送受信）可能なものであれば、どのような周波数でもよいが、好ましくは１３．５６ＭＨｚの電磁波で送信可能になっている。また、間違った被検者Ｐの情報を取得しないようにアンチ・コリージョンタイプとしたり、アンテナ１０３ａから出力される信号を暗号化処理可能にしてセキュリティ機能を持たせることができる。
【００１２】
体温情報もＥＥＰＲＯＭ１０２に記憶できるので、別のベッドや別の部屋に乳幼児Ｐを移し換えても継続して体温情報を記憶できる。また、間違った乳幼児Ｐの情報を取得しないようにしたり、アンテナ１０３ａから出力される信号を暗号化処理可能にしてセキュリティ機能を持たせることができる。
【００１３】
２００は、電池内蔵で、設定された時間（分）間隔で体温（温度）情報を最大３６０日記憶できるように構成された温度センサ付ＩＣタグ（第１の測温部）である。この温度センサ付ＩＣタグ（第１の測温部）を乳幼児Ｐの適所またはオムツ３００の適所に貼付けたり、装着するなど（図１参照）して健常時の所定時間、例えば２４時間の体温を測定・記憶する。２０１は、ＩＣタグ読み取り部３４からの信号を受け、ロジック部２１０を所定のフローで動作させるプログラムが記憶され、コンピュータで読取り可能な記憶媒体であるＲＡＭである。２０２はＥＥＰＲＯＭで、温度センサ２０６のそれぞれに対応するオフセット値，温度補正値などが記憶されている。また、体温情報も記憶可能である。なお、ロジック部２１０は、より複雑な処理フローの制御が可能なＣＰＵとしてもよい。
【００１４】
温度センサ２０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。２０３は、乳幼児Ｐに設けられた温度測定部を有するＩＣタグ２００の体温情報を端末装置５からの読取り要求信号により、記憶された体温情報を乳幼児ＰのＩＤ情報とともに端末装置５に送信するための送受信回路である。ここでは、通信は、電気的な接続で行なわれるが、無線アンテナによる無線で送受信してもよい。２０４ａは内蔵電池であり、この内蔵電池２０４ａで温度センサ付ＩＣタグ２００の全てのプログラム演算処理の電源となっている。２０７はＡ／Ｄ変換部であり、温度センサ２０６と発振回路（不図示）で発生した体温信号をＡ／Ｄ変換するものである。ＩＣタグ２００は、アンテナ１０３ａを含めて幅Ｗが５ｍｍ×５ｍｍ、厚さＴが１．５ｍｍ程度の大きさである。なお、通信を無線で行なう場合、ＩＣタグ２００は、生体を通過可能な周波数の電磁波での通信（送受信）可能なものであれば、どのような周波数でもよいが、好ましくは１３．５６ＭＨｚの電磁波で送信可能になっている。
【００１５】
体温情報も乳幼児ＰのＩＤ情報と併せてＥＥＰＲＯＭ２０２に記憶できるので、病院内などで別のベッドや別の部屋に乳幼児Ｐを移し換えても継続して体温情報を記憶できる。また、間違った乳幼児Ｐの情報を取得しないようにしたり、アンテナ２０３ａから出力される信号を暗号化処理可能にしてセキュリティ機能を持たせることができる。このＩＣタグ２００は、測定間隔にもよるが測定間隔が２分で５日程度、５分で１４日程度、１０分で約１ケ月程度分の体温測定・記憶が可能となっている。
【００１６】
＜電池内蔵ＩＣタグによる体温情報取得＞
乳幼児Ｐに対して看護／介護者は、まず、ＩＣタグ２００を備えた第１の測温部を乳幼児Ｐに対して、外耳道内に挿入したり、面ファスナー等を備える囲包部材で囲包し、着脱自在にオムツ３００に装着したり（図１参照）、リストバンドに設けたりしてＩＣタグ２００が接触するように身体の適所に装着する。所定期間、例えば、春季，夏季，秋季，冬季の任意に選択した１ケ月分、１週間分、１日（２４時間）分測定・記憶し、ＥＥＰＲＯＭ２０２に時刻とともに体温情報が記憶される。記憶された体温情報は、外部送信部２０３から信号線を介して外部通信部１２を経て携帯端末５０の記憶部１５に年月日時とともにトレンド記憶される。図３は、春季の任意に選択した１日（２４時間）分測定・記憶し、ＥＥＰＲＯＭ２０２に時刻とともに記憶された体温情報を表示部１１に表示する一例である。
【００１７】
＜氷枕の構成＞
氷枕１２０の構成について図４に基づいて説明する。氷枕１２０は、図４に示すように、ラテックス，合成ゴム，弾性を有する合成樹脂などからなる０〜４０℃の範囲で柔軟性を有する本体１２１、把持部１２２、クランプ１２３、本体１２１の外表面に設けられたＩＣタグ（ＲＦＩＤ）１００からなり、その内部に氷，水を入れて使用（図４（ａ））したり、この氷枕１２０をカバー１２５で覆い、面ファスナー１２４等で係止する（図４（ｂ））タイプのもの、あるいは、凍結型冷媒（凍結型冷却部材：不図示）が予め充填され、ＩＣタグ１００を備えた氷枕１２０（図４（ｃ））や、この氷枕１２０をカバー１２５で覆い、面ファスナー１２４等で係止する（図４（ｄ））タイプのものを使用する。氷枕は、ラテックス製の収納容器に氷と冷水を入れて利用するタイプものと、凍結型冷媒が予め収納されたタイプのものがある。凍結型冷媒が予め収納されたタイプの場合、凍結型冷媒を常温で液体又は液状で、且つ−１５℃〜０℃の範囲に融点を有する溶液又は液状体である。冷凍庫で凍結状態になった凍結型冷媒の解凍時の融解潜熱を氷枕の保冷，蓄冷機能に利用する。保冷，蓄冷には水及び氷の顕熱も利用されるが、氷の融解潜熱（約８０ｃａｌ／ｇ）を利用するかしないかの差は極めて大きい。具体的な凍結型冷媒としては、水に例えば植物系多糖類，カルボキシメチルセルロースナトリウム，合成ケイ酸ナトリウム・マグネシウム，ポリアクリル酸ナトリウム等の増粘剤や、吸水性樹脂等が適宜加えられたゾル状又はゲル状の透明の液状体である。本実施形態の凍結型冷媒は透明の液状体とする。過冷却解除剤は凍結型冷媒の過冷却現象を改善するために凍結型冷媒に微量配合される。過冷却解除剤としては例えばヨウ化銀等の氷核形成物質の微粉末がある。本体１２１を冷凍庫で冷やす際、これらの微粉末が氷核となって、凍結型冷媒の過冷却温度を抑制する。また、好ましくは、少量の気体を代え、さらに、０．５ｍｍΦ〜５ｍｍΦ程度の発泡スチロール粒子を充填することでよりクッション性，フィット性を高める。そして、気体，発泡スチロール粒子が一定の熱遮断効果を発揮し、頭部が氷枕に接する箇所の温度を和らげる。凍結型冷媒を収納する氷枕１２０が柔軟性素材が柔軟性を有するためには、冷媒の凍結温度においても柔軟性素材が塑性変形または弾性変形することが必要である。まず、柔軟性素材が塑性変形するためには、柔軟性素材がミクロブラウン運動できる条件になければならず、従って柔軟性素材の環境温度がその材料のガラス転位点以上に設定される必要がある。患部冷却用素材は冷蔵庫の冷凍室で凍結され、しかも冷凍室の温度は０℃〜−１０℃であるから、冷媒の凍結温度はこの冷凍室の温度よりも高く設定されることになる。従って、本発明の柔軟性素材のガラス転位点が−１０℃よりも低く設定されれば、冷媒 の凍結温度では柔軟性素材は塑性変形することが可能である。つまり、ガラス転位点が−１０℃よりも低い柔軟性素材から柔軟性容器４を形成することによって、柔軟性素材の塑性的柔軟性が保証される。ガラス転位点が−１０℃よりも低いプラスチックには、例えばポリエチレン、アセチル樹脂、塩化ビニリデン、ポリプロピレンなどがある。また、ガラス転位点が−���０℃よりも低いゴムには、ポリイソプレン、ｃｉｓ−-ポリイソブタジエン、ポリフェニレンエーテル、ポリイソプレン、天然ゴム、クロロプレン、trans-ポリブタジエンなどがある。また、上記以外に、各種の単量体を交互共重合、ブロック共重合、グラフト共重合させることによってガラス転位点をー１０℃以下に設定された規則的共重合体も含まれる。
【００１８】
＜体温情報等／氷枕の温度取得の処理フロー＞
図５のフローを参照して体温情報等／氷枕の温度取得の処理フローを説明する。乳幼児Ｐに装着されたＩＣタグ１００に対して、１０〜６０分毎にＩＣタグ読取り部１３から１３．５６ＭＨｚの電磁波を送信（送受信距離は、３ｃｍ〜１ｍ程度）し（ステップＳ１）、その信号と同期して得られる温度センサ１０６の体温情報を読取る。また、氷枕１２０の外表面の温度情報も、所定間隔、例えば１０〜２０分毎にＩＣタグ１００にＩＣタグ読取り部３４から１３．５６ＭＨｚの電磁波を送信（送受信距離は、１０ｃｍ〜１ｍ程度）し、その信号と同期して得られる温度センサ１０６の体温情報を読取る（ステップＳ２）。体温情報と氷枕の温度情報は、記憶部１５に記憶される(ステップＳ３)。この体温情報と氷枕の温度は閾値と比較される(ステップＳ４)。例えば、体温の場合、上限値が３７．０℃、下限値が３５．５℃としている。また、生体情報として、脈拍，血中酸素飽和度（ＳＰＯ２）は、例えば、パルスオキシメータ（不図示）の接続端子を携帯端末５０の接続端子１２ａに接続させて測定するか別途測定した脈拍，血中酸素飽和度（ＳＰＯ２）を入力部１４で年月日時分と共に入力し、記憶部１５に記憶させる。脈拍は、上限値としての所定値（閾値）は例えば１２０拍／分、下限値が３０拍／分、血中酸素飽和度（ＳＰＯ２）は、下限値としての所定値（閾値）は例えば９０としている。また、氷枕１２０の外表面の温度は、例えば、上限値としての所定値（閾値）は例えば３６．５℃としている。これらの生体情報のうち少なくとも１つの情報が異常と判断されると、アラームを発生させ（ステップＳ５）、管理サイト／医療サイトの担当医に報知するようにしている。なお、担当医の携帯電話などに報知するようにしてもよい。異常と判断された乳幼児Ｐの容体を確認後、必要に応じてリセット（ステップＳ６）する。必要がなければ、監視（測定）を終了する。異常がない場合は、必要に応じてステップＳ１に戻り、測定終了の指示入力があるまで生体情報の測定を繰り返す。測定され、記憶部４４に記憶される生体情報は、平均値、最大値、最小値、最多値を求めて、乳幼児ＰのＩＤとともにそれらのデータも記憶部１５、サーバー（不図示）に記憶する。
【００１９】
記憶部１５に記憶された、体温，血中酸素飽和度（ＳＰＯ２），脈拍等の生体情報は、図６に示すように表示部１１にトレンド表示される。図６で示す１つの例では、体温，血中酸素飽和度（ＳＰＯ２），氷枕の温度のトレンド値である。氷枕１２０を使用した後、体温が下がり、血中酸素飽和度（ＳＰＯ２）の値が改善していることが一瞥できる。また、氷枕の解熱効果、交換時期が一瞥できる。トレンド表示する項目は、機能キー１４ａで任意に組み合わせることができる。こうして、パルスオキシメータで測定したり、測定中の脈拍，血中酸素飽和度（ＳＰＯ２）を重ねて表示すると、インフルエンザ，ＲＳ（Respiratory Syncytial）ウイルス等の感染症等による呼吸器系疾患が容易に把握できる。また、解熱剤（座薬）などの投薬データをメモ情報として、日時とともに入力部１４で入力しておくことで、表示部１１の生体情報のトレンド表示と併せて表示可能となる。管理サイト／医療サイトの表示部（不図示）でも同様の表示ができるようにすることもできる。アラームを発生する判断の他の条件として、体温値が１つの閾値、例えば、３７．０℃を越え、体温変化率（℃／分）が所定の値を超えた場合、例えば１℃／６０分を越えた場合にアラームを発生させることもできる。この場合、体温値が１つの閾値、例えば、３７．０℃を越えると、測定間隔を当初の所定間隔よりも短くなるように制御する。図７に示すように、また、３９℃を越える時間が所定時間、例えば３時間を越える場合、アラームを発生し、解熱剤（座薬）の投与を報知するとともに、投与効果の有無を表示分１１に表示させるようにしてもよい。
【００２０】
＜その他の機能・動作＞
その他の機能・動作を以下に詳述する。
（1）時刻設定
携帯端末５０に電池（不図示）を挿入すると、不揮発性メモリであるＲＯＭ１６から、現在の年・月・日・時及びそのサム値を含む必要なデータを読込む。携帯端末５０の電源ＯＮ時や携帯端末５０に電池が挿入されている間は、不図示の工程にて、時計（タイマ）より１時間に１回、００分毎に信号がＣＰＵ（演算処理部）１０に送られ、ＣＰＵ１０は当該信号を受信したら、その時点の年・月・日・時をＲＯＭ５１６に書き込む。
【００２１】
次に、読込んだ現在の年・月・日・時のサム値を計算し、読込んだサム値と等しいかを確認する。等しければそのままＳＬＥＥＰ状態に進む。等しくなければ、読込んだ値が不正と判断し、エラーフラグＦＬＡＧｅｒｒをセット（＝１）する。
【００２２】
次に、電源がＯＮされるまでＳＬＥＥＰ状態で待機する。
【００２３】
電源がＯＮされたら、ＦＬＡＧｅｒｒを確認し、所定条件、たとえばそれが１以外だったら検温動作に移行する。もし、ＦＬＡＧｅｒｒが１だったら、日時入力処理に移行する。ここでは、日時の入力を促す画面が表示され、使用者は画面に従い、現在年月日時分を入力する。別法として、ＦＬＡＧｅｒｒの値によらず、電池を挿入後、初回の電源ＯＮの場合は常に日時入力処理に移行する方法も考えられる。その場合は、サム値及びサムチェックの機能は不要になる。また、電波時計を備えることにより、サム値及びサムチェックの機能は不要になる。こうすることで、使用者による年・月・日・時・分の設定が速やかで容易に行なえ、ＥＥＰＲＯＭの現在年月日時分が破損した場合でも、被検者Ｐ自身で正しい日付を速やかに行なえる。こうして、時計機能及びカレンダ−に基づくカレンダ−機能により、設定された現在時刻が表示部１１に表示される。即ち、午前、午後を示すＡＭ，ＰＭとともにその時の時刻が表示される一方、この時計機能による時間カウントが２４時間経過する毎に日付が更新され、この日付はカレンダ−機能により表示部１１に表示される。尚、表示部１１に「年」を表示するようにしてもよい。
【００２４】
＜他の使用形態＞
本発明の乳幼児健康管理装置を通常の電子体温計として使用できる。この場合、乳幼児Ｐの身体の適所に第１の測温部を貼り付けるなどして装着し、所定時間（１〜５分程度）体温測定すると体温情報は、ＥＥＰＲＯＭ２０２に時刻とともに体温情報が記憶される。記憶された体温情報は外部送信部２０３から信号線を介して外部通信部１２を経て携帯端末５０の記憶部１５に記憶される（読取り開始スイッチ等を設けて読取り開始指示を行なうようにしてもよい）。記憶された体温情報の最高値を、測定された体温として表示部１１に表示する。
【図面の簡単な説明】
【００２５】
【図１】本発明の一実施例を示す図である。
【図２】本発明の実施例に係るＩＣタグのブロック図である。
【図３】本発明の実施例に係る温度測定部により測定された体温のトレンドグラフを示す図である。
【図４】本発明の実施例に係る氷枕を示す図である。
【図５】本発明の実施例に係る生体情報の取得処理フローを示す図である。
【図６】本発明の実施例に係る表示例を示す図である。
【図７】本発明の実施例に係る表示例を示す図である。
【符号の説明】
【００２６】
１０・・・ＣＰＵ、１１・・・表示部、１２・・・外部通信部、Ｐ・・・被検者、１３・・・ＩＣタグ読取り部、１００，２００・・・ＩＣタグ、１０１，２０１・・・ＲＡＭ、１０２，２０２・・・ＥＥＰＲＯＭ、１０３・・・送信受信回路、１０３ａ・・・アンテナ、１０６・・・温度センサ、３００・・・オムツ
【図１】
2007229075.tif 000003
【図２】
2007229075.tif 000004
【図３】
2007229075.tif 000005
【図４】
2007229075.tif 000006
【図５】
2007229075.tif 000007
【図６】
2007229075.tif 000008
【図７】
2007229075.tif 000009
【手続補正書】
【提出日】平成18年2月28日(2006.2.28)
【手続補正１】
【補正対象書類名】明細書
【補正対象項目名】００１５
【補正方法】変更
【補正の内容】
【００１５】
体温情報も乳幼児ＰのＩＤ情報と併せてＥＥＰＲＯＭ２０２に記憶できるので、病院内などで別のベッドや別の部屋に乳幼児Ｐを移し換えても継続して体温情報を記憶できる。また、間違った乳幼児Ｐの情報を取得しないようにしたり、アンテナ２０３ａから出力される信号を暗号化処理可能にしてセキュリティ機能を持たせることができる。このＩＣタグ２００は、測定間隔にもよるが測定間隔が１分で３日分程度、５分で２週間分程度、１０分で１ケ月分程度の体温測定・記憶が可能となっている。測定間隔の設定は専用の書き込み装置で行なうか、携帯端末５０の入力部１４で行い、接続端子１２ａ、外部送受信部２０３を介して、ＥＥＰＲＯＭ２０２に書き込まれる。
【手続補正書】
【提出日】平成18年4月7日(2006.4.7)
【手続補正１】
【補正対象書類名】明細書
【補正対象項目名】００１１
【補正方法】変更
【補正の内容】
【００１１】
温度センサ１０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。１０３は、乳幼児Ｐに設けられた温度測定部を有するＩＣタグ（ＲＦＩＤ）１００の体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ１００の各部に電源を供給する。１０７はＡ／Ｄ変換部であり、温度センサ１０６と発振回路（不図示）で発生した体温信号をＡ／Ｄ変換するものである。ＩＣタグ１００は、アンテナ１０３ａを含めて幅Ｗが５ｍｍ×５ｍｍ、厚さＴが１．５ｍｍ程度の大きさである。なお、ＩＣタグ１００は、生体を通過可能な周波数の電磁波での通信（送受信）可能なものであれば、どのような周波数でもよいが、好ましくは１３．５６ＭＨｚまたは８６０〜９６０ＭＨｚ（ＵＨＦ帯）の電磁波で送信可能になっている。また、間違った被検者Ｐの情報を取得しないようにアンチ・コリージョンタイプとしたり、アンテナ１０３ａから出力される信号を暗号化処理可能にしてセキュリティ機能を持たせることができる。